(57)【要約】【課題】ＩＰネットワークを利用して、グループ内のクライアントからその他のクライアントへ同時に情報が配信されるときに、メンバーが必要とする情報を必要とするメンバーに的確に配信するデータ通信システムを提供する。【解決手段】グループ内の１つのクライアントＡから発信される情報が、サーバの制御により該グループ内の他のクライアントへ同時に配信されるデータ通信システムにおいて、クライアントＡから発信されるデータは、発信者の操作によって選択された、発信する情報の内容を識別することが可能な発信識別子１で管理され、グループ内の各クライアントの受信は、受信者の操作によって選択された、受信する情報の内容を識別することが可能な、受信識別子２により管理される。そして、サーバは、これらの識別子を認識、判定して、クライアントＡから発信された情報の配信先を選定して配信する。【選択図】図１
2006345067.tif 000002
【特許請求の範囲】
【請求項１】
ＩＰネットワークを利用して、サーバと複数のクライアントから構成されるグループ内で通信するときに、グループ内の１つのクライアントＡから発信される情報が、前記サーバの制御により該グループ内の他のクライアントへ同時に配信されるデータ通信システムにおいて、前記クライアントＡから発信されるデータは、発信者の操作によって選択された、発信する情報の内容を識別することが可能な発信識別子１で管理されることを特徴とするデータ通信システム。
【請求項２】
請求項１に記載のデータ通信システムにおいて、前記グループ内の各クライアントの受信は、受信者の操作によって選択された、受信する情報の内容を識別することが可能な、受信識別子２により管理されることを特徴とするデータ通信システム。
【請求項３】
請求項１または２に記載のデータ通信システムにおいて、前記発信識別子１及び前記受信識別子２は、前記サーバに登録され、管理されることを特徴とするデータ通信システム。
【請求項４】
請求項３に記載のデータ通信システムにおいて、前記発信識別子１と前記受信識別子２とが登録されているサーバは、これらの識別子を認識、判定して、前記クライアントＡから発信された情報の配信先を選定して配信することを特徴とするデータ通信システム。
【請求項５】
請求項１または２に記載のデータ通信システムにおいて、前記発信識別子１及び前記受信識別子２は、クライアント側に登録され、管理されることを特徴とするデータ通信システム。
【請求項６】
請求項５に記載のデータ通信システムにおいて、前記クライアントＡ以外の受信側となるクライアントは、前記発信識別子１と自身が持つ前記受信識別子２を認識、判定して、該クライアントＡから発信された情報が受信すべき情報の場合にのみ、受信者に対して受信情報の通知を行うことを特徴とするデータ通信システム。
【請求項７】
ＩＰネットワークを利用して、サーバと複数のクライアントから構成されるグループ内で通信するときに、グループ内の複数のクライアントから発信される情報が、前記サーバの制御により該グループ内の他のクライアントへ同時に配信されるデータ通信システムにおいて、前記複数のクライアントから発信されるデータは、各発信者の操作によって選択された、発信する情報の内容を識別することが可能な発信識別子１でそれぞれ管理されることを特徴とするデータ通信システム。
【請求項８】
請求項７に記載のデータ通信システムにおいて、前記グループ内の各クライアントの受信は、受信者の操作によって選択された、受信する情報の内容を識別することが可能な、受信識別子２により管理されることを特徴とするデータ通信システム。
【請求項９】
請求項７または８に記載のデータ通信システムにおいて、前記各クライアントに対する発信識別子１及び前記受信識別子２は、前記サーバに登録され、管理されることを特徴とするデータ通信システム。
【請求項１０】
請求項９に記載のデータ通信システムにおいて、前記発信識別子１と前記受信識別子２とが登録されているサーバは、これら識別子を認識、判定して、前記複数のクライアントから発信された情報の配信先を選定して配信することを特徴とするデータ通信システム。
【請求項１１】
請求項１０に記載のデータ通信システムにおいて、前記発信識別子１と前記受信識別子２とが登録されているサーバは、前記複数のクライアントから発信された情報を受信すると判定されたクライアントには、複数の情報を多重化した情報を作成して、配信することを特徴とするデータ通信システム。
【請求項１２】
請求項７または８に記載のデータ通信システムにおいて、前記複数のクライアントの前記発信識別子１及び前記受信識別子２は、クライアント側に登録され、管理されることを特徴とするデータ通信システム。
【請求項１３】
請求項１２に記載のデータ通信システムにおいて、前記複数のクライアントから送られてきた前記発信識別子１と、自身の前記受信識別子２とが登録されたクライアントは、これらの識別子を認識、判定して、受信すると判定された情報のみ受信者に対して通知を行うことを特徴とするデータ通信システム。
【請求項１４】
請求項１３に記載のデータ通信システムにおいて、前記複数のクライアントから発信された情報を受信すると判定したクライアントは、前記複数のクライアントの情報をクライアント側で多重化して再構成した情報を作成して、受信者に対して通知を行うことを特徴とするデータ通信システム。
【請求項１５】
請求項１２に記載のデータ通信システムにおいて、発信者であるクライアントは、自身が登録している受信識別子２と、他の発信者であるクライアントから送られてきた発信識別子１とを、認識、判定して、該他の発信者であるクライアントからの情報を受信すると判定された場合にのみ受信者に対して通知を行うことを特徴とするデータ通信システム。
【発明の詳細な説明】
【技術分野】
【０００１】
本発明は、データ通信システムに関し、具体的には、ＩＰネットワークを利用して、グループ内のクライアントからその他のクライアントへ同時に情報が配信されるデータ通信システムに関する。
【背景技術】
【０００２】
例えば、ローカルなグループ内においてほぼリアルタイムに情報交換を行う場としてチャット、携帯端末で行われるテレビ電話等が挙げられる。
【発明の開示】
【発明が解決しようとする課題】
【０００３】
これらチャットやテレビ電話の環境においては、基本的に発信者の情報は、受信側にはすべてそのまま送信されてしまう状態となるため、複数の受信者が存在する場合、受信者によっては全く不要な情報も受ける場合がある。
例えば、テレビ電話を利用した報告会などにおいて必要な情報のみを効率よく取得したくても、その情報の発信時間が明確とは限らず、また、報告側の進行状況に応じて、いつ必要な情報の報告がされるか不明なため、基本的には全体的に報告会に参加する必要があり、時間の無駄となる場合がある。
【０００４】
本発明は、このような実情を考慮してなされたものであって、ＩＰネットワークを利用して、グループ内のクライアントからその他のクライアントへ同時に情報が配信されるときに、メンバーが必要とする情報を必要とするメンバーに的確に配信するデータ通信システムを提供することを目的とする。
【課題を解決するための手段】
【０００５】
上記の課題を解決するために、次のような構成をとる。
第１の発明は、ＩＰネットワークを利用して、サーバと複数のクライアントから構成されるグループ内で通信するときに、グループ内の１つのクライアントＡから発信される情報が、前記サーバの制御により該グループ内の他のクライアントへ同時に配信されるデータ通信システムにおいて、前記クライアントＡから発信されるデータは、発信者の操作によって選択された、発信する情報の内容を識別することが可能な発信識別子１で管理される構成とする。
また、前記グループ内の各クライアントの受信は、受信者の操作によって選択された、受信する情報の内容を識別することが可能な、受信識別子２により管理される。
【０００６】
前記サーバが、これらの前記発信識別子１及び前記受信識別子２を登録、管理しているときには、サーバは、これらの識別子を認識、判定して、前記クライアントＡから発信された情報の配信先を選定して配信する。
また、クライアント側が、これらの前記発信識別子１及び前記受信識別子２を登録、管理しているときには、前記クライアントＡ以外の受信側となるクライアントは、前記発信識別子１と自身が持つ前記受信識別子２を認識、判定して、該クライアントＡから発信された情報が受信すべき情報の場合にのみ、受信者に対して受信情報の通知を行う。
【０００７】
また、第２の発明は、ＩＰネットワークを利用して、サーバと複数のクライアントから構成されるグループ内で通信するときに、グループ内の複数のクライアントから発信される情報が、前記サーバの制御により該グループ内の他のクライアントへ同時に配信されるデータ通信システムにおいて、前記複数のクライアントから発信されるデータは、各発信者の操作によって選択された、発信する情報の内容を識別することが可能な発信識別子１でそれぞれ管理される構成とする。
また、前記グループ内の各クライアントの受信は、受信者の操作によって選択された、受信する情報の内容を識別することが可能な、受信識別子２により管理される。
【０００８】
前記サーバが、前記各クライアントに対する発信識別子１及び前記受信識別子２を登録、管理するときには、サーバは、これら識別子を認識、判定して、前記複数のクライアントから発信された情報の配信先を選定して配信する。あるいは、サーバは、前記複数のクライアントから発信された情報を受信すると判定されたクライアントには、複数の情報を多重化した情報を作成して、配信する。
【０００９】
また、クライアント側が、前記複数のクライアントの前記発信識別子１及び前記受信識別子２を登録、管理するときには、前記複数のクライアントから送られてきた前記発信識別子１と、自身の前記受信識別子２とが登録されたクライアントは、これらの識別子を認識、判定して、受信すると判定された情報のみ受信者に対して通知を行う。あるいは、前記複数のクライアントから発信された情報を受信すると判定したクライアントは、前記複数のクライアントの情報をクライアント側で多重化して再構成した情報を作成して、受信者に対して通知を行う。
【００１０】
また、発信者であるクライアントは、自身が登録している受信識別子２と、他の発信者であるクライアントから送られてきた発信識別子１とを、認識、判定して、該他の発信者であるクライアントからの情報を受信すると判定された場合にのみ受信者に対して通知を行う。
【発明の効果】
【００１１】
本発明によれば、情報の発信者自身が、発信情報の内容を指定し、受信者自身が受信情報の内容を指定することで、その情報を必要とするメンバーに的確に配信されることが可能となる。
また、サーバや携帯端末に情報の多重化処理を行わせる装置を付加することで、多くの情報を、必要とするメンバーに的確に、効果的に配信させることが可能となる。
【発明を実施するための最良の形態】
【００１２】
以下、図面を参照して本発明の好適な実施形態について説明する。
ここでは、相互に認識可能な５人のユーザ（Ｕ１、Ｕ２、Ｕ３、Ｕ４、Ｕ５）によりグループ内通信ができる環境が存在することを前提とする。また、映像データ情報を送受信することを例にして説明する。
しかし、ユーザの人数も５人とは限らず情報を送受信するものであるから２人以上であればよい。また、送受信する情報も映像データとは限らず、テキストデータ、図表やイメージなどのデータでも同様に適用できる。
【００１３】
＜実施形態１＞
図１は、実施形態１に係るデータ通信システムの構成を示すブロック図であり、同図において、複数の携帯端末（クライアント）１０とサーバ２０とをＩＰネットワークで接続されており、各携帯端末１０間はサーバ２０を介して、ローカルな放送環境やリアルタイムな情報交換が行える。
【００１４】
携帯端末１０は、サーバ２０との通信を行うための通信制御部１３、識別子入力等に利用するキー入力部１２と、映像データの撮影できるカメラ等の映像入力部１４、映像データや種々の情報を表示するための表示部１５、及び各部のデータのやり取りや制御を行う主制御部１１とを含んでいる。
【００１５】
サーバ２０は、複数の携帯端末１０との通信を行う通信制御部２３、複数の携帯端末１０を１つのグループとして管理するグループ管理部２２、識別子を認識し、判定する識別子制御部２４及び各部のデータのやり取りや制御を行う主制御部２１とを含んでいる。
【００１６】
以下、図２のフローチャートを用いて、実施形態１に係るデータ通信システムにおける識別子を利用したグループ間の通信システムを説明する。
予め相互に認識可能なユーザ（Ｕ１〜Ｕ５）が、特定のグループとして登録されたサーバ２０、携帯端末１０１〜１０５にてグループ間通信が行われる。この特定のグループを認識する情報はサーバ２０にあるグループ管理部２２において管理される。仮にグループ外のユーザＵｉは、グループ管理部２２によりグループ外の判定がなされ、主制御部２１にてＵ１〜Ｕ５の特定グループにおけるグループ間通信のサービスからは除外される。
【００１７】
まず、各ユーザが、任意に受信識別子の設定を行う（必須の処理ではないので、本処理は実施されない場合もある）（ステップＳ１）。
例えば、ユーザＵ１が、受信識別子を設定するために予め用意されたキーをキー入力部１２から入力すると、表示部１５に図３に示すような選択項目を列挙した画面が表示され、ユーザＵ１はこの中から受信許可とする情報をチェックボックスで選択して、「ＯＫ」ボタンを押下する。ここで、予め決められた選択情報ではなく、任意のキーワードをユーザに入力させ、その文字データを受信識別子として扱うようにしてもよい。
主制御部１１では、ユーザＵ１の操作に応じた受信識別子が生成される。ここで、識別子は、例えば図４のようなデータから構成されている。
【００１８】
識別子であることを示す情報：例えば、１バイトの領域をもち、発信識別子（０１）か受信識別子（０２）の区別が設定される。
携帯端末に固有な情報：例えば、１バイトの領域をもち、発信または受信する携帯端末１０１〜１０５の識別子が設定される。グループ内の端末数によっては１バイト以上の領域としても構わない。
情報内容に固有な情報：例えば、１バイトの領域をもち、各ビットごとに発信または受信を許可・禁止の区別を設定する。ビット値がゼロは禁止、１は許可を表している。
例えば、ビット０が建築物、ビット１が人物に関する情報の場合、それらを許可とするには、ビット０とビット１に１を立て、その他のビット２から７をゼロとする。この場合にも情報量が８種類以上ある場合には、１バイト以上の領域としてもよい。
また、ビット単位で情報内容の許可・禁止を設定するのではなく、許可するキーワードのリストを設定するようにしてもよい。この場合には、合致するあるいは類似するキーワード検索を行って、許可されるか禁止されるかを決定する。
【００１９】
この受信識別子は、通信制御部１３にてサーバ２０に送信される。サーバ２０の主制御部２１は、通信制御部２３にて受信したデータが、携帯端末１０１からの受信識別子であることを認識し、受信許可を示す情報を識別子制御部２４にて管理させる。ここで、例えば、あるユーザが受信識別子の設定を行わない場合、或は、受信識別子の設定を行うまでは、そのユーザの携帯端末は全情報を受信許可として扱う。
【００２０】
次に、あるユーザから情報発信要求が行われるまで待機する（ステップＳ２）。
ここで、例えば、ユーザＵ２が情報発信を行うとする。当然、各ユーザは任意に情報発信を行えるので、複数のユーザが同時期に情報発信を行う場合もあるが、ここでは１人のユーザのみが情報発信を行う場合を取り上げる。
【００２１】
ユーザＵ２が発信識別子を選択すると、その発信識別子をサーバ２０にて管理する（ステップＳ３）。
即ち、ユーザＵ２は、携帯端末１０２のキー入力部１２から情報発信に割り当てられた所定のキーを操作する。携帯端末１０２の主制御部１１は、ユーザＵ２の発信要求を認識し、表示部１５に、図３に示すような選択画面を表示して、受信選択の場合と同様に、発信情報の内容を識別させるための発信識別子を選択させる。
携帯端末１０２の主制御部１１は、ユーザＵ２の操作に応じた発信識別子を生成し、この発信識別子を通信制御部１３にてサーバ２０に送信する。ここで発信識別子の構成は、図４に示したように受信識別子と同様である。
サーバ２０の主制御部２１では、通信制御部２３にて受信したデータが、携帯端末１０２からの発信識別子であることを認識し、識別子制御部２４にて管理させる。
【００２２】
次に、サーバ２０の識別子制御部２４により、携帯端末毎に管理してある受信識別子と、携帯端末１０２から送られた発信識別子とが認識、判定される（ステップＳ４）。
例えば、図３のように、予め決められた選択情報の場合、図４に示した識別子では３バイト目の情報内容に固有の情報において、ビット単位で一致、不一致を判定すれば容易となり、携帯端末１０２から送信される映像データの配信先は即時に設定できる。
また、前記にあるように任意のキーワードをユーザに入力させ、文字データを識別子とする場合でも、文字データの比較、或は関連性のある文字データを認識可能なアプリケーションなどを利用することで、配信先の選択は可能である。
【００２３】
次に、携帯端末１０２からは、先に選択した発信識別子に応じた映像情報が、映像入力部１４で撮影され、主制御部１１により通信制御部１３を経由してサーバ２０へと送信される。サーバ２０は、ステップＳ４における配信先の判定に応じて、通信制御部２３にて受信された携帯端末１０２からの映像情報を配信する（ステップＳ５）。
配信された携帯端末、例えば１０３は、通信制御部１３によりサーバ２０からの映像データを受信して、表示部１５に表示することで、情報の内容に適応したグループ内での通信が行われる。
【００２４】
最後に、携帯端末１０２からの情報発信が終了し（ステップＳ６）、ステップＳ２へ戻り待機状態になる。
【００２５】
以上のようにして、情報の発信者自身が、発信情報の内容を指定し、受信者自身が受信情報の内容を指定することで、その情報を必要とするメンバーに的確に配信されることが可能となる。
【００２６】
＜実施形態２＞
図５は、実施形態２に係るデータ通信システムの構成を示すブロック図であり、同図において、実施形態１と同様に、複数の携帯端末１０とサーバ２０とをＩＰネットワークで接続されており、各携帯端末１０間はサーバ２０を介して、ローカルな放送環境やリアルタイムな情報交換が行える。
携帯端末１０は、サーバ２０との通信を行うための通信制御部１３、識別子入力等に利用するキー入力部１２と、映像データの撮影できるカメラ等の映像入力部１４、映像データや種々情報を表示するための表示部１５、識別子を認識し、判定する識別子制御部１６及び各部のデータのやり取りや制御を行う主制御部１１とを含んでいる。
【００２７】
サーバ２０は、複数の携帯端末１０との通信を行う通信制御部２３、複数の携帯端末１０を１つのグループとして管理するグループ管理部２２、及び各部のデータのやり取りや制御を行う主制御部２１とを含んでいる。
【００２８】
以下、図６のフローチャートを用いて、実施形態２に係るデータ通信システムにおける識別子を利用したグループ間の通信システムを説明する。
【００２９】
予め相互に認識可能なユーザ（Ｕ１〜Ｕ５）が、特定のグループとして登録されたサーバ２０、携帯端末１０１〜１０５にてグループ間通信が行われる。この特定のグループを認識する情報はサーバ２０にあるグループ管理部２２において管理される。仮にグループ外のユーザＵｉは、グループ管理部２２によりグループ外の判定がなされ、主制御部２１にてＵ１〜Ｕ５の特定グループにおけるグループ間通信のサービスからは除外される。
【００３０】
まず、各ユーザが、任意に受信識別子の設定を行う（必須の処理ではないので、本処理は実施されない場合もある）（ステップＳ１１）。
例えば、ユーザＵ１が、受信識別子を設定するために予め用意されたキーをキー入力部１２から入力すると、表示部１５に図３に示すような選択項目を列挙した画面が表示され、ユーザＵ１はこの中から受信許可とする情報をチェックボックスで選択して、「ＯＫ」ボタンを押下する。ここで、予め決められた選択情報ではなく、任意のキーワードをユーザに入力させ、その文字データを受信識別子として扱うようにしてもよい。
主制御部１１では、ユーザＵ１の操作に応じた受信識別子が生成される。ここで生成される受信識別子の構成は図４に示したものと同じである。
【００３１】
この受信識別子は、携帯端末１０１にある識別子制御部１６にて管理される。ここで、例えば、あるユーザが受信識別子の設定を行わない場合、或は、受信識別子の設定を行うまでは、そのユーザの携帯端末は全情報を受信許可として扱う。
【００３２】
次に、あるユーザから情報発信要求が行われるまで待機する（ステップＳ１２）。
ここで、例えばユーザＵ２が情報発信を行うとする。当然、各ユーザは任意に情報発信を行えるので、複数のユーザが同時期に情報発信を行う場合もあるが、ここでは１人のユーザのみが情報発信を行う場合を取り上げる。
【００３３】
ユーザＵ２が発信識別子を選択すると、サーバ２０を介してこの発信識別子をグループ内のすべてのユーザに配信し、配信された発信識別子を各携帯端末で管理する（ステップＳ１３）。
即ち、ユーザＵ２は、携帯端末１０２のキー入力部１２から情報発信に割り当てられた所定のキーを操作する。携帯端末１０２の主制御部１１は、ユーザＵ２の発信要求を認識し、表示部１５に、図３に示すような選択画面を表示して、受信選択の場合と同様に、発信情報の内容を識別させるための発信識別子を選択させる。
携帯端末１０２の主制御部１１は、ユーザＵ２の操作に応じた発信識別子を生成する。ここで発信識別子の構成は、図４に示したように受信識別子と同様である。携帯端末１０２の通信制御部１３では、この発信識別子をサーバ２０に送信する。
サーバ２０の主制御部２１では、通信制御部２３にて受信したデータを、携帯端末１０２からの情報であることを認識し、その他グループ内の携帯端末１０へと配信する。これを受信した携帯端末１０２以外の各携帯端末１０は、通信制御部１３にて受信したデータが携帯端末１０２からの発信識別子であることを主制御部１１が認識して、識別子制御部１６にて管理させる。
【００３４】
次に、携帯端末１０２以外の携帯端末１０、例えば、携帯端末１０３において識別子制御部１６により、既に管理してある受信識別子と、携帯端末１０２からサーバ２０を経由して受信した発信識別子とが認識、判定される（ステップＳ１４）。
例えば、図３のように、予め決められた選択情報の場合、図４に示した識別子では３バイト目の情報内容に固有の情報において、ビット単位で一致、不一致を判定すれば容易となり、携帯端末１０２から送信される映像データを受信してよいかどうかは即時に決定できる。
また、前記にあるように任意のキーワードをユーザに入力させ文字データを識別子とする場合でも、文字データの比較、或は関連性のある文字データを認識可能なアプリケーションなどを利用することで、受信許可、拒否の選択は可能である。
【００３５】
次に、携帯端末１０２からは、先に選択した発信識別子に応じた映像情報が、映像入力部１４で撮影され、主制御部１１により通信制御部１３を経由してサーバ２０へと送信される。サーバ２０は、携帯端末１０２以外の携帯端末１０に向けて、通信制御部２３にて受信された携帯端末１０２からの映像情報を配信する（ステップＳ１５）。
配信された携帯端末、例えば１０３は、通信制御部１３によりサーバ２０からの映像データを受信する。ここで、携帯端末１０３の識別子制御部１６における判定結果に応じて、受信した映像データを表示部１５に表示、或は非表示とする処理が行われる。非表示の場合は、ユーザＵ３は、受信情報の存在を認識できないので、受信していない状態と同等の状態といえる。
【００３６】
最後に、携帯端末１０２からの情報発信が終了し（ステップＳ１６）、ステップＳ１２へ戻り待機状態になる。
【００３７】
以上のようにして、情報の発信者自身が、発信情報の内容を指定し、受信者自身が受信情報の内容を指定することで、その情報を必要とするメンバーに的確に配信されることが可能となる。
【００３８】
＜実施形態３＞
図７は、実施形態３に係るデータ通信システムの構成を示すブロック図であり、同図において、実施形態１、２と同様に、複数の携帯端末１０とサーバ２０とをＩＰネットワークで接続されており、各携帯端末１０間はサーバ２０を介して、ローカルな放送環境やリアルタイムな情報交換が行える。
携帯端末１０は、サーバ２０との通信を行うための通信制御部１３、識別子入力等に利用するキー入力部１２と、映像データの撮影できるカメラ等の映像入力部１４、映像データや種々情報を表示するための表示部１５、多重表示制御部１７及び各部のデータのやり取りや制御を行う主制御部１１とを含んでいる。
【００３９】
サーバ２０は、複数の携帯端末１０との通信を行う通信制御部２３、複数の携帯端末１０を１つのグループとして管理するグループ管理部２２、識別子を認識、判定する識別子制御部２４と、情報多重化制御部２５及び各部のデータのやり取りや制御を行う主制御部２１とを含んでいる。
【００４０】
以下、図８のフローチャートを用いて、実施形態３に係るデータ通信システムにおける識別子を利用したグループ間の通信システムを説明する。
【００４１】
予め相互に認識可能なユーザ（Ｕ１〜Ｕ５）が、特定のグループとして登録されたサーバ２０、携帯端末１０１〜１０５にてグループ間通信が行われる。この特定のグループを認識する情報はサーバ２０にあるグループ管理部２２において管理される。仮にグループ外のユーザＵｉは、グループ管理部２２によりグループ外の判定がなされ、主制御部２１にてＵ１〜Ｕ５の特定グループにおけるグループ間通信のサービスからは除外される。
【００４２】
まず、各ユーザが、任意に受信識別子の設定を行う（必須の処理ではないので、本処理は実施されない場合もある）（ステップＳ２１）。
例えば、ユーザＵ１が、受信識別子を設定するために予め用意されたキーをキー入力部１２から入力すると、表示部１５に図３に示すような選択項目を列挙した画面が表示され、ユーザＵ１はこの中から受信許可とする情報をチェックボックスで選択して、「ＯＫ」ボタンを押下する。ここで、予め決められた選択情報ではなく、任意のキーワードをユーザに入力させ、その文字データを受信識別子として扱うようにしてもよい。
主制御部１１では、ユーザＵ１の操作に応じた受信識別子が生成される。ここで生成される受信識別子の構成は図４に示したものと同じである。
【００４３】
この受信識別子は、通信制御部１３にてサーバ２０に送信される。サーバ２０の主制御部２１は、通信制御部２３にて受信したデータが、携帯端末１０１からの受信識別子であることを認識し、受信許可を示す情報を識別子制御部２４にて管理させる。ここで、例えば、あるユーザーが受信識別子の設定を行わない場合、或は、受信識別子の設定を行うまでは、そのユーザの携帯端末は全情報を受信許可として扱うものとする。
【００４４】
次に、あるユーザから情報発信要求が行われるまで待機する（ステップＳ２２）。
ここで、例えば複数のユーザＵ２とＵ３が情報発信を行い、情報の発信が、複数のユーザにより同一時期に行われる場合とする。また、情報発信者は、例に挙げる２人のユーザとは限らないし、２人以上であっても構わない。
【００４５】
ユーザＵ２およびＵ３が発信識別子を選択すると、それらの発信識別子をサーバ２０にて管理する（ステップＳ２３）。
即ち、ユーザＵ２は、携帯端末１０２のキー入力部１２から情報発信に割り当てられた所定のキーを操作する。携帯端末１０２の主制御部１１は、ユーザＵ２の発信要求を認識し、表示部１５に、図３に示すような選択画面を表示して、受信選択の場合と同様に、発信情報の内容を識別させるための発信識別子を選択させる。
携帯端末１０２の主制御部１１は、ユーザＵ２の操作に応じた発信識別子を生成し、この発信識別子を通信制御部１３にてサーバ２０に送信する。ここで発信識別子の構成は、図４に示したように受信識別子と同様である。
サーバ２０の主制御部２１では、通信制御部２３にて受信したデータが、携帯端末１０２からの発信識別子であることを認識し、識別子制御部２４にて管理させる。
ユーザＵ３においても、ユーザＵ２と全く同様に、携帯端末１０３から同様の処理が行われる。
【００４６】
次に、サーバ２０の識別子制御部２４により、携帯端末毎に管理してある受信識別子と、携帯端末１０２と１０３から送られた発信識別子とが認識、判定される（ステップＳ２４）。
例えば、図３のように、予め決められた選択情報の場合、図４に示した識別子では３バイト目の情報内容に固有の情報において、ビット単位で一致、不一致を判定すれば容易となり、携帯端末１０２と１０３から送信される映像データの配信先は即時に設定できる。
また、前記にあるように任意のキーワードをユーザに入力させ文字データを識別子とする場合でも、文字データの比較、或は関連性のある文字データを認識可能なアプリケーションなどを利用することで、配信先の選択は可能である。
【００４７】
次に、携帯端末１０２からは、先に選択した発信識別子に応じた映像情報が、映像入力部１４で撮影され、主制御部１１により通信制御部１３を経由してサーバ２０へと送信される。サーバ２０は、ステップＳ２４における配信先の判定に応じて、通信制御部２３にて受信された携帯端末１０２からの映像情報を、その他の携帯端末へと配信する。これと同様に、携帯端末１０３からも、先に選択した発信識別子に応じた情報内容が、映像入力部１４で撮影され、主制御部１１により通信制御部１３を経由してサーバ２０へと送信される。サーバ２０は、ステップＳ２４における配信先の判定に応じて、通信制御部２３にて受信された携帯端末１０３からの映像情報を、その他の携帯端末へと配信する（ステップＳ２５）。
【００４８】
このとき、例えば、識別子制御部２４の判定において、携帯端末１０４における受信識別子の設定が、携帯端末１０２と１０３からの両方の発信情報識別子を受信許可としていた場合、主制御部２１は携帯端末１０２と１０３からの映像情報を、一旦、情報多重化制御部２５へと送り、図９に例示したように、それぞれの映像情報を縮小処理して、２つの映像情報が同時に認識できるように並べた映像情報を作成させる。この多重化された映像情報を携帯端末１０４に配信することで、ユーザＵ４は、同時に２つの情報を得ることが可能である。ここでは、多重化を２としているが、３人以上であれば、その人数に合わせた多重化を行うことになる。
【００４９】
また、例えば、発信者の１人であるユーザＵ２は、携帯端末１０２において、自身が撮影、発信している映像を表示部１５で表示している状態とする。ここで、識別子制御部２４にて管理される携帯端末１０２の受信識別子が、携帯端末１０３からの発信情報を受信許可としていた場合、サーバ２０からは携帯端末１０３からの映像情報が配信されてくる。このとき、携帯端末１０２の主制御部１１は、通信制御部１３で受信した映像と、映像入力部１４からの映像とを、多重表示制御部１７にて、図１０に例示したように、それぞれ縮小して多重化表示することができる。この場合も、多重化を２としているが、３人以上であれば、その人数に合わせた多重化を行うことになる。
【００５０】
最後に、携帯端末１０２と１０３からの情報発信が終了すると（ステップＳ２６）、ステップＳ２２に戻って待機状態になる。
【００５１】
以上のようにして、情報の発信者自身が、発信情報の内容を指定し、受信者自身が受信情報の内容を指定して、サーバや携帯端末に情報の多重化処理を行わせる装置を付加することで、多くの情報を、必要とするメンバーに的確に、効果的に配信させることが可能となる。
【００５２】
＜実施形態４＞
図１１は、実施形態４に係るデータ通信システムの構成を示すブロック図であり、同図において、実施形態１、２、３と同様に、複数の携帯端末１０とサーバ２０とをＩＰネットワークで接続されており、各携帯端末１０間はサーバ２０を介して、ローカルな放送環境やリアルタイムな情報交換が行える。
携帯端末１０は、サーバ２０との通信を行うための通信制御部１３、識別子入力等に利用するキー入力部１２と、映像データの撮影できるカメラ等の映像入力部１４、映像データや種々情報を表示するための表示部１５、識別子を認識し、判定する識別子制御部１６、多重表示制御部１７及び各部のデータのやり取りや制御を行う主制御部１１とを含んでいる。
【００５３】
サーバ２０は、複数の携帯端末１０との通信を行う通信制御部２３、複数の携帯端末１０を１つのグループとして管理するグループ管理部２２、及び各部のデータのやり取りや制御を行う主制御部２１とを含んでいる。
【００５４】
以下、図１２のフローチャートを用いて、実施形態４に係るデータ通信システムにおける識別子を利用したグループ間の通信システムを説明する。
【００５５】
予め相互に認識可能なユーザ（Ｕ１〜Ｕ５）が、特定のグループとして登録されたサーバ２０、携帯端末１０１〜１０５にてグループ間通信が行われる。この特定のグループを認識する情報はサーバ２０にあるグループ管理部２２において管理される。仮にグループ外のユーザＵｉは、グループ管理部２２によりグループ外の判定がなされ、主制御部２１にてＵ１〜Ｕ５の特定グループにおけるグループ間通信のサービスからは除外される。
【００５６】
まず、各ユーザが、任意に受信識別子の設定を行う（必須の処理ではないので、本処理は実施されない場合もある）（ステップＳ３１）。
例えば、ユーザＵ１が、受信識別子を設定するために予め用意されたキーをキー入力部１２から入力すると、表示部１５に図３に示すような選択項目を列挙した画面が表示され、ユーザＵ１はこの中から受信許可とする情報をチェックボックスで選択して、「ＯＫ」ボタンを押下する。ここで、予め決められた選択情報ではなく、任意のキーワードをユーザに入力させ、その文字データを受信識別子として扱うようにしてもよい。
主制御部１１では、ユーザＵ１の操作に応じた受信識別子が生成される。ここで生成される受信識別子の構成は図４に示したものと同じである。
【００５７】
この受信識別子は、携帯端末１０１にある識別子制御部１６にて管理される。ここで、例えば、あるユーザが受信識別子の設定を行わない場合、或は、受信識別子の設定を行うまでは、そのユーザの携帯端末は全情報を受信許可として扱う。
【００５８】
次に、あるユーザから情報発信要求が行われるまで待機する（ステップＳ３２）。
ここで、例えば複数のユーザＵ２とＵ３が情報発信を行い、情報の発信が、複数のユーザにより同一時期に行われる場合とする。また、情報発信者は、例に挙げる２人のユーザとは限らない。
【００５９】
ユーザＵ２およびＵ３が発信識別子を選択すると、サーバ２０を介してこの発信識別子をグループ内のすべてのユーザに配信し、配信された発信識別子を各携帯端末で管理する（ステップＳ３３）。
即ち、ユーザＵ２は、携帯端末１０２のキー入力部１２から情報発信に割り当てられた所定のキーを操作することで、携帯端末１０２の主制御部１１は、ユーザＵ２の発信要求を認識し、表示部１５に、図３に示すような選択画面を表示して、受信選択の場合と同様に、発信情報の内容を識別させるための発信識別子を選択させる。
携帯端末１０２の主制御部１１は、ユーザＵ２の操作に応じた発信識別子を生成し、この発信識別子を通信制御部１３にてサーバ２０に送信する。ここで発信識別子の構成は、図４に示したように受信識別子と同様である。
サーバ２０の主制御部２１では、通信制御部２３にて受信したデータが、携帯端末１０２からの発信識別子であることを認識し、その他グループ内の携帯端末へと配信する。これを受信した携帯端末１０２以外の各携帯端末１０は、通信制御部１３にて受信したデータが携帯端末１０２からの発信識別子であることを主制御部１１が認識して、識別子制御部１６にて管理させる。
ユーザＵ３においても、ユーザＵ２と全く同様に、携帯端末１０３から同様の処理が行われる。
【００６０】
次に、携帯端末１０２以外の携帯端末１０、例えば携帯端末１０３において識別子制御部１６により、既に管理してある受信識別子と、携帯端末１０２からサーバ２０を経由して受信した発信識別子とが認識、判定される（ステップＳ３４）。
例えば、図３のように、予め決められた選択情報の場合、図４に示した識別子では３バイト目の情報内容に固有の情報において、ビット単位で一致、不一致を判定すれば容易となり、携帯端末１０２と１０３から送信される映像データを受信してよいかどうかは即時に設定できる。
また、前記にあるように任意のキーワードをユーザに入力させ文字データを識別子とする場合でも、文字データの比較、或は関連性のある文字データを認識可能なアプリケーションなどを利用することで、受信許可、拒否の選択は可能である。
【００６１】
次に、携帯端末１０２からは、先に選択した発信識別子に応じた映像情報が、映像入力部１４で撮影され、主制御部１１により通信制御部１３を経由してサーバ２０へと送信される。サーバ２０は、携帯端末１０２以外の携帯端末１０に向けて、通信制御部２３にて受信された携帯端末１０２からの映像情報を配信する。これと同様に、携帯端末１０３からも、先に選択した発信識別子に応じた情報内容が、携帯端末１０３の映像入力部１４で撮影され、主制御部１１により通信制御部１３を経由してサーバ２０へと送信される。サーバ２０は、携帯端末１０３以外の携帯端末１０に向けて、通信制御部２３にて受信された携帯端末１０３からの映像情報を配信する（ステップＳ３５）。
【００６２】
このとき、例えば携帯端末１０４の識別子制御部１６の判定において、携帯端末１０２と１０３からの両方の発信情報識別子を受信許可としていた場合、主制御部１１は携帯端末１０２と１０３からの映像情報を、一旦、多重表示制御部１７へと送り、図９の例に示すように、それぞれの映像情報を縮小処理して、２つの映像情報が同時に認識できるように並べた映像情報を作成させる。この多重化された映像情報を、携帯端末１０４の表示部１５にて表示することで、ユーザＵ４は、同時に２つの情報を得ることが可能である。ここでは、多重化を２としているが、３人以上であれば、その人数に合わせた多重化を行うことになる。
【００６３】
また、例えば発信者の１人であるユーザＵ２は、携帯端末１０２において、自身が撮影、発信している映像を表示部１５で表示している状態とする。ここで、識別子制御部１６にて管理される携帯端末１０２の受信識別子が、携帯端末１０３からの発信情報を受信許可としていた場合、主制御部１１は、通信制御部１３で受信した映像と、映像入力部１４からの映像とを多重表示制御部１７にて、図１０に示すように、それぞれ縮小して多重化表示することができる。この場合も、多重化を２としているが、３人以上であれば、その人数に合わせた多重化を行うことになる。
【００６４】
最後に、携帯端末１０２と１０３からの情報発信が終了すると（ステップＳ３６）、ステップＳ３２に戻って待機状態になる。
【００６５】
以上のようにして、情報の発信者自身が、発信情報の内容を指定し、受信者自身が受信情報の内容を指定して、サーバや携帯端末に情報の多重化処理を行わせる装置を付加することで、多くの情報を、必要とするメンバーに的確に、効果的に配信させることが可能となる。
【図面の簡単な説明】
【００６６】
【図１】実施形態１に係るデータ通信システムの構成を示すブロック図である。
【図２】実施形態１に係るデータ通信システムにおける識別子を利用したグループ間の通信システムを説明するフローチャートである。
【図３】発信あるいは受信可とする情報を選択する画面例である。
【図４】識別子のデータ項目例である。
【図５】実施形態２に係るデータ通信システムの構成を示すブロック図である。
【図６】実施形態２に係るデータ通信システムにおける識別子を利用したグループ間の通信システムを説明するフローチャートである。
【図７】実施形態３に係るデータ通信システムの構成を示すブロック図である。
【図８】実施形態３に係るデータ通信システムにおける識別子を利用したグループ間の通信システムを説明するフローチャートである。
【図９】サーバにて多重化された情報の例を示す図である。
【図１０】発信者の携帯端末で多重化表示された例を示す図である。
【図１１】実施形態４に係るデータ通信システムの構成を示すブロック図である。
【図１２】実施形態４に係るデータ通信システムにおける識別子を利用したグループ間の通信システムを説明するフローチャートである。
【符号の説明】
【００６７】
Ｕ１、Ｕ２，Ｕ３，Ｕ４，Ｕ５，Ｕｉ…ユーザ、１０，１０１，１０２，１０３，１０４，１０５，１０ｉ…携帯端末、１１…主制御部、１２…キー入力部、１３…通信制御部、１４…映像入力部、１５…表示部、１６…識別子制御部、１７…多重表示制御部、２０…サーバ、２１…主制御部、２２…グループ管理部、２３…通信制御部、２４…識別子制御部、２５…情報多重化制御部。
【図１】
2006345067.tif 000003
【図２】
2006345067.tif 000004
【図３】
2006345067.tif 000005
【図４】
2006345067.tif 000006
【図５】
2006345067.tif 000007
【図６】
2006345067.tif 000008
【図７】
2006345067.tif 000009
【図８】
2006345067.tif 000010
【図９】
2006345067.tif 000011
【図１０】
2006345067.tif 000012
【図１１】
2006345067.tif 000013
【図１２】
2006345067.tif 000014